(57)【要約】【課題】価値観の異なる世代が混在する地域のコミュニケーションを活性化するコミュニケーション方法およびコミュニケーションシステムを提供する。【解決手段】住戸Ｈに情報が表示可能とされたコミュニケーション窓Ｗを設け、当該窓Ｗに情報を表示してコミュニティの住民と間接的にコミュニケーションを図るもので、表示される情報のタイプは、情報発信者側の状況をコミュニティの住民に伝達する目的でなされるタイプやコミュニティの状況をコミュニティの住民に伝達する目的でなされるタイプなどとされる。【選択図】図１
2014232378.tif 000002
【特許請求の範囲】
【請求項１】
コミュニティにおけるコミュニケーション方法であって、住戸に情報が表示可能とされたコミュニケーション窓を設け、当該窓に情報を表示してコミュニティの住民と間接的にコミュニケーションをなすことを特徴とするコミュニケーション方法。
【請求項２】
表示される情報が、情報発信者側の状況をコミュニティの住民に伝達する目的でなされるタイプとされることを特徴とする請求項１記載のコミュニケーション方法。
【請求項３】
表示される情報が、コミュニティの状況をコミュニティの住民に伝達する目的でなされるタイプとされることを特徴とする請求項１記載のコミュニケーション方法。
【請求項４】
表示される情報が、コミュニティの景観の一部を構成させる目的でなされるタイプとされることを特徴とする請求項１記載のコミュニケーション方法。
【請求項５】
表示される情報が、コミュニティでなされるイベントに協賛する目的でなされるタイプとされることを特徴とする請求項１記載のコミュニケーション方法。
【請求項６】
表示される情報が、コミュニティと契約をした企業の広告とされることを特徴とする請求項１記載のコミュニケーション方法。
【請求項７】
特定の通りに面したコミュニケーション窓ごとに特定の情報を表示させることを特徴とする請求項１記載のコミュニケーション方法。
【請求項８】
全コミュニケーション窓に同一の情報を表示させることを特徴とする請求項１記載のコミュニケーション方法。
【請求項９】
各コミュニケーション窓に特定の目的に沿って情報を表示させることを特徴とする請求項１記載のコミュニケーション方法。
【請求項１０】
コミュニティにおけるコミュニケーションシステムであって、住戸に情報が表示可能とされたコミュニケーション窓を設け、当該窓に情報を表示してコミュニティの住民と間接的にコミュニケーションをなすようにされてなることを特徴とするコミュニケーションシステム。
【請求項１１】
コミュニケーション窓が、情報を表示する機能を有する外側の情報表示面と、発光機能を有する内側の発光面とを含むことを特徴とする請求項１０記載のコミュニケーションシステム。
【請求項１２】
情報表示面に表示される情報を制御する情報表示面制御部と、発光面の発光を制御する発光面制御部とを有する制御装置を備えてなることを特徴とする請求項１１記載のコミュニケーションシステム。
【請求項１３】
制御装置が、情報表示面に表示される情報が格納されている情報記憶部を有することを特徴とする請求項１２記載のコミュニケーションシステム。
【請求項１４】
コミュニティ情報センターを備え、コミュニケーション窓が前記コミュニティ情報センターとの通信が可能とされ、前記コミュニケーション窓が前記コミュニティ情報センターからの情報を表示するようにされてなることを特徴とする請求項１０記載のコミュニケーションシステム。
【請求項１５】
コミュニティ情報センターが、広告コンテンツを格納する広告コンテンツ記憶部と、センター側通信手段とを有し、
コミュニケーション窓が、情報表示面に表示される情報を制御する情報表示面制御部と、窓側通信手段とを含む制御装置を有し、
前記センター側通信手段と、前記窓側通信手段とがインターネットを介して接続可能とされてなることを特徴とする請求項１１記載のコミュニケーションシステム。
【発明の詳細な説明】
【技術分野】
【０００１】
本発明はコミュニケーション方法およびコミュニケーションシステムに関する。さらに詳しくは、戸建住宅の窓をコミュニケーションツールとするコミュニケーション方法およびコミュニケーションシステムに関する。
【背景技術】
【０００２】
高度経済成長期における都市部の住宅不足を解消するためのマイホーム政策により、都市近郊部にニュータウンが数多く誕生した。かかるニュータウンの誕生当時においては、居住者の年代が比較的若く、また同世代の子供もいるところから、ニュータウン内で活発なコミュニケーションがなされていた。例えば、ニュータウンの商店街を中核としてニュータウンの広場や小学校の校庭などで秋祭り、盆踊り、スポーツ大会などが盛んに行なわれていた。
【０００３】
しかしながら、ニュータウンも誕生から四五十年が経過して老衰した現在、第一世代の入居者は高齢化あるいは死去しており、その上そのニュータウンで育ったことのない新たな入居者も居住するようになってきたところから、つまりニュータウン内に価値観の異なる世代が混在する結果となったところから、前述したようなコミュニケーションが成立しなくなってきている。
【０００４】
そのため、ニュータウンなどの地域(コミュニティ)のコミュニケーションを如何にして図るかの模索がなされている。
【０００５】
なお、駅構内などのコミュニティスペースにおけるビジュアルインフォメーションシステムに関しては特許文献１に提案がなされている。
【先行技術文献】
【特許文献】
【０００６】
【特許文献１】特開２００２−３０４５７４号公報
【発明の開示】
【発明が解決しようとする課題】
【０００７】
本発明はかかる従来技術の課題に鑑みなされたものであって、価値観の異なる世代が混在する地域のコミュニケーションを活性化するコミュニケーション方法およびコミュニケーションシステムを提供することを目的としている。
【課題を解決するための手段】
【０００８】
本発明のコミュニケーション方法は、コミュニティにおけるコミュニケーション方法であって、住戸に情報が表示可能とされたコミュニケーション窓を設け、当該窓に情報を表示してコミュニティの住民と間接的にコミュニケーションをなすことを特徴とする。
【０００９】
本発明のコミュニケーション方法においては、表示される情報が、情報発信者側の状況をコミュニティの住民に伝達する目的でなされるタイプとされたり、コミュニティの状況をコミュニティの住民に伝達する目的でなされるタイプとされたり、コミュニティの景観の一部を構成させる目的でなされるタイプとされたり、コミュニティでなされるイベントに協賛する目的でなされるタイプとされたり、コミュニティと契約をした企業の広告とされたりする。
【００１０】
また、本発明のコミュニケーション方法においては、特定の通りに面したコミュニケーション窓ごとに特定の情報を表示させるようにされてもよい。
【００１１】
また、本発明のコミュニケーション方法においては、全コミュニケーション窓に同一の情報を表示させるようにされてもよい。
【００１２】
また、本発明のコミュニケーション方法においては、各コミュニケーション窓に特定の目的に沿って情報を表示させるようにされてもよい。
【００１３】
一方、本発明のコミュニケーションシステムは、コミュニティにおけるコミュニケーションシステムであって、住戸に情報が表示可能とされたコミュニケーション窓を設け、当該窓に情報を表示してコミュニティの住民と間接的にコミュニケーションをなすようにされてなることを特徴とする。
【００１４】
本発明のコミュニケーションシステムにおいては、コミュニケーション窓が、情報を表示する機能を有する外側の情報表示面と、発光機能を有する内側の発光面とを含むものとされる。その場合、情報表示面に表示される情報を制御する情報表示面制御部と、発光面の発光を制御する発光面制御部とを有する制御装置を備えてなるのが好ましく、制御装置が、情報表示面に表示される情報が格納されている情報記憶部を有するのがさらに好ましい。
【００１５】
また、本発明のコミュニケーションシステムにおいては、コミュニティ情報センターを備え、コミュニケーション窓が前記コミュニティ情報センターとの通信が可能とされ、前記コミュニケーション窓が前記コミュニティ情報センターからの情報を表示するようにされてもよい。
【００１６】
その場合、コミュニティ情報センターが、広告コンテンツを格納する広告コンテンツ記憶部と、センター側通信手段とを有し、コミュニケーション窓が、情報表示面に表示される情報を制御する情報表示面制御部と、窓側通信手段とを含む制御装置を有し、前記センター側通信手段と、前記窓側通信手段とがインターネットを介して接続可能とされてなるのが好ましい。
【発明の効果】
【００１７】
本発明は前記の如く構成されているので、情報発信者が自分の好きな時に情報を発信することができるので、価値観の異なる世代が混在する地域のコミュニケーションを活性化することができるという優れた効果を奏する。
【図面の簡単な説明】
【００１８】
【図１】本発明の実施形態１に係るコミュニケーション方法に適用されるコミュニケーションシステムの概略図である。
【図２】同実施形態のコミュニケーション窓の概略図である。
【図３】同コミュニケーション窓の電気的システム構成の一例のブロック図である。
【図４】本発明の実施形態２に係るコミュニケーション方法の概要を示す概略図である。
【図５】同コミュニケーション方法に適用されるコミュニケーションシステムのブロック図である。
【図６】本発明の実施形態３に係るコミュニケーション方法が適用されるコミュニティの概略図である。
【図７】同コミュニケーション方法に適用されるコミュニケーションシステムのブロック図である。
【発明を実施するための形態】
【００１９】
以下、添付図面を参照しながら本発明を実施形態に基づいて説明するが、本発明はかかる実施形態のみに限定されるものではない。
【００２０】
実施形態１
図１に、本発明の実施形態１に係るコミュニケーション方法が適用されるコミュニケーションシステムＳをブロック図で示す。
【００２１】
コミュニケーションシステムＳは、図１に示すように、コミュニティを構成している住戸Ｈにコミュニケーション窓Ｗを設けてコミュニティにおけるコミュニケーションを図るものとされる。
【００２２】
コミュニケーション窓Ｗは透過性を有し、図２に示すように、前面(外側の面)が情報表示機能を有する情報表示面１０とされ、背面(内側の面)が面状発光機能を有する発光面２０とされた二重構造とされてなるものとされる。
【００２３】
すなわち、情報表示機能を起動させると、コミュニティの住民に向けてメッセージや情報が情報表示面１０に映像表示される。情報表示機能を起動させた状態で面状発光機能を起動させると、発光面２０は室内照明として機能するとともに表示映像のバックライトとして機能する。情報表示機能を停止させた状態で面状発光機能を起動させると、発光面２０は室内照明として機能するとともに街灯として機能する。情報表示機能および面状発光機能を停止すると、採光窓として機能する。
【００２４】
なお、各住戸のコミュニケーション窓Ｗを一斉に情報表示機能を停止させた状態で面状発光機能を起動させると、行灯としての様相を呈する。
【００２５】
図３に、コミュニケーション窓Ｗの電気的システム構成(以下、電気システムという)Ｅの一例をブロック図で示す。
【００２６】
電気システムＥは、図３に示すように、情報表示面１０および発光面２０を制御する制御装置３０を中心的構成要素として備えてなるものとされる。
【００２７】
制御装置３０は、情報表示面１０を制御する情報表示面制御部３１と、発光面１０を制御する発光面制御部３２と、情報表示面１０に表示される情報(文字情報および画像情報を含む)を処理する情報処理部３３と、モニタ５０を制御するモニタ制御部３４と、情報表示面１０に表示される情報を記憶する情報記憶部３５と、入力を処理する入力部３６と、出力を処理する出力部３７とを有するものとされ、入力部３５には入力装置４０が接続され、出力部３７には情報表示面１０、発光面２０およびモニタ５０が接続される。ここで、モニタ５０は、情報表示面１０に表示される情報が表示され、そのモニタリングがなし得るようにされてなるものとされる。
【００２８】
制御装置３０は、具体的には、後述する情報表示を処理する情報表示面制御部３１、発光を処理する発光面制御部３２、情報処理部３３、入力部３５および出力部３６を実現するようプログラムされ、かつ、情報記憶部３４への情報格納処理を実現するようプログラムされたコンピュータとされる。
【００２９】
入力装置４０は、例えばキーボード、マウス、タッチパネル、デジタルカメラ、ビデオカメラなどとされる。なお、入力装置４０には、映像などが記憶された外部メモリも含むものとされる。
【００３０】
情報表示機能を起動させて行うコミュニケーション(以下、間接コミュニケーションということもある)には、以下のようなものがある。
【００３１】
情報発信タイプ
このタイプは、情報発信者側の状況をコミュニティの住民に伝達する目的でなされるタイプとされ、入力装置４０からメッセージおよび画像を入力することによりなされる。
【００３２】
例１：飼っているウサギ「ゴン」がいなくなりました。見かけられた方はご連絡ください。
【００３３】
ゴンの特徴・・・耳が長く、毛は茶色です。
連絡先・・・ｘｘｘｘｘｘｘｘ
【００３４】
例２：庭のバラが見ごろになりました。ご近所の方、お気軽にお立ち寄りください。
【００３５】
情報提供タイプ
このタイプは、コミュニティの状況をコミュニティの住民に伝達する目的でなされるタイプとされ、入力装置からメッセージを入力するとともに、情報記憶部３４に格納されている避難ルートなどの画像を表示することによりなされる。
【００３６】
例１：大津波警報が発令されました。至急、高台に避難してください。
【００３７】
景観提供タイプ
このタイプは、コミュニティの景観の一部を構成させ、コミュニティの住民と景観を共有する目的でなされるタイプとされ、入力装置４０から画像を入力することによりなされる。
【００３８】
例１：庭のバラ園で咲いているバラの花の画像を流す
【００３９】
イベント協賛タイプ
このタイプは、コミュニティでなされるイベントに協賛する目的でなされるタイプとされ、入力装置４０からメッセージを入力するとともに、情報記憶部３４に格納されているマラソンコースなどの画像を表示することによりなされる。
【００４０】
例１：ゴールまであと5キロ  ガンバレ！！
スポーツ飲料をコース脇に置いています！
【００４１】
なお、コミュニケーション窓Ｗは、明瞭には図示はされていないが、通常の窓と同様に開閉が可能とされ、窓を開けての近所の人とのコミュニケーション(以下、直接コミュニケーションということもある)がなしえるようにされている。
【００４２】
このように、本実施形態によれば、コミュニケーション窓Ｗを通して自分の好きなときにコミュニティと状況に応じたコミュニケーションを間接的に図ることができる。しかして、この間接コミュニケーションを通してコミュニティの見知らぬ住民との直接コミュニケーションが発生する可能性も生まれるので、コミュニケーションの高次元化を図ることも可能となる。
【００４３】
また、コミュニケーション窓は街灯としても機能させることができるので、コミュニティの防犯に寄与することもできる。
【００４４】
さらに、コミュニケーション窓Ｗは、通常の窓と同様に開閉が可能とされ、直接コミュニケーションがなしえるようにされているので、コミュニケーション窓Ｗを設けたことによる弊害は特にない。
【００４５】
実施形態２
図４に、本発明の実施形態２に係るコミュニケーション方法の概要を概略図で示す。実施形態２は実施形態１を改変してなるものであって、コミュニティが企業から広告の依頼を受けてその広告表示を希望する住戸Ｈのコミュニケーション窓Ｗを通じて広告するものとされる。
【００４６】
図５に、実施形態２に係るコミュニケーション方法が適用されるコミュニケーションシステムＳをブロック図で示す。
【００４７】
コミュニケーションシステムＳは、図５に示すように、広告コンテンツＺが入力されるとともに、その入力された広告コンテンツＺを格納する広告コンテンツ記憶部Ｃ１を有し、希望する住戸Ｈのコミュニケーション窓Ｗに送給するコンピュータからなるコミュニティ情報処理センターＣＣを中心的構成要素として備えてなるものとされる。コミュニティ情報処理センターＣＣへの広告コンテンツＺの入力およびコミュニティ情報処理センターＣＣと各コミュニケーション窓Ｗとの情報の遣り取りは、例えばインターネットを介しなされる。そのため、コミュニティ情報処理センターＣＣおよび各コミュニケーション窓Ｗにおける制御装置３０は、図５に示すように通信処理手段（センター側通信手段Ｃ２および窓側通信手段３８）をそれぞれ有するものとされる。
【００４８】
なお、制御装置３０のその余の構成は、実施形態１の制御装置３０と同様とされている。
【００４９】
このように、本実施形態によれば、企業から広告収入が得られるので、各住戸Ｈがコミュニケーション窓Ｗの維持に要する費用負担を軽減することができる。また、コミュニティも企業から広告収入によりコミュニティ情報処理センターＣＣの運用に掛かる費用を賄うことができるので、住民への負担軽減が図られてコミュニケーション窓Ｗの普及促進が図られる。
【００５０】
実施形態３
図６に、本発明の実施形態３に係るコミュニケーション方法の概要を概略図で示す。
【００５１】
実施形態３は実施形態２を改変してなるものであって、コミュニティにより住戸単位、通り単位、あるいは街全体でストーリー性のある映像あるいはコミュニティに密接に関係する情報を表示するようにするものである。つまり、特定の目的に沿って各住戸のコミュニケーション窓Ｗに映像を表示させるようにしてなるものとされる。図中、符号１１，１２，１３，１４・・・は、住戸番号を示す。
【００５２】
例３１：大津波警報が発令された場合、各住戸Ｈのコミュニケーション窓Ｗにコミュニティより避難経路を表示させる。
【００５３】
「大津波警報が発令されました。表示された矢印にしたがって裏の甲山に避難してください。」と表示するとともに、矢印を表示する。
【００５４】
例３２：老朽化した水道管の取替工事の予定を通りに面した住戸Ｈのコミュニケーション窓Ｗ単位で予定を表示させる。下記の例では、住戸番号１１，１２，１３，１４・・・のコミュニケーション窓Ｗに表示させる。
【００５５】
「通り１の水道管の取替工事の予定は、下記のとおりです。工事期間中は通行が規制されますのでご注意ください。」
水道管の取替工事の予定：Ｘ月Ｙ１日からＸ月Ｙ２日まで
【００５６】
例３３：コミュニティ周辺の景勝地を映像で紹介する。この場合、各住戸Ｈのコミュニケーション窓Ｗに同一の映像を流すようにしてもよく、各住戸Ｈごてに異なる地点の映像を流すようにしてもよい。
【００５７】
図７に、かかるコミュニケーション方法が適用されるコミュニケーションシステムＳをブロック図で示す。
【００５８】
コミュニケーションシステムＳは、図７に示すように、各住戸Ｈのコミュニケーション窓Ｗに表示する映像を選定する配信映像選定部Ｃ１１と、配信映像選定部Ｃ１１により選定された映像を各住戸Ｈのコミュニケーション窓Ｗに割り当てる映像割当部Ｃ１２と、各住戸Ｈの位置データ（番地データやＧＰＳにより位置データなど）および各通りの位置データが格納されている住戸配置データ記憶部Ｃ１３と、配信する映像が格納されている配信映像記憶部Ｃ１４と、各住戸Ｈのコミュニケーション窓Ｗとの通信をなすセンター側通信手段Ｃ１５とを備えたコンピュータからなるコミュニティ情報処理センターＣＣを中心的構成要素として備えてなるものとされる。コミュニティ情報処理センターＣＣには、図示のごとく、入力装置Ｉが接続されている。
【００５９】
各住戸Ｈのコミュニケーション窓Ｗにおける制御装置３０は、図７に示すように通信処理手段(窓側通信手段)３８を有するものとされる。なお、制御装置３０のその余の構成は、実施形態１の制御装置３０と同様とされている。
【００６０】
このように、本実施形態によればコミュニティ側からコミュニティに密接に関連した情報が各住戸Ｈのコミュニケーション窓Ｗから発信されるので、コミュニティのコミュニケーションの活性化が図られるという実施形態２では得られない効果も得られる。
【００６１】
以上、本発明を実施形態に基づいて説明してきたが、本発明はかかる実施形態のみに限定されるものではなく、種々改変が可能である。
【００６２】
例えば、著作権フリーのコンテンツ、例えば山岳映像を入手してコミュニケーション窓Ｗに表示してコミュニティに供給し、同好の人を求めるようにしてもよい。これにより、間接コミュニケーションを通じて直接コミュニケーションの実現がなされる可能性もでてくる。
【産業上の利用可能性】
【００６３】
本発明は住宅産業に適用できる。
【符号の説明】
【００６４】
ＣＣ      コミュニティ情報処理センター
Ｃ１      広告コンテンツ記憶部
Ｃ２      センター側通信手段
Ｃ１１    配信映像選定部
Ｃ１２    映像割当部
Ｃ１３    住戸配置データ記憶部
Ｃ１４    配信映像記憶部
Ｃ１５    センター側通信手段
Ｉ        入力装置
Ｓ        コミュニケーションシステム
Ｅ        電気的システム構成
Ｈ        住戸
Ｗ        コミュニケーション窓
Ｚ        広告コンテンツ
１０      情報表示面
２０      発光面
３０      制御装置
３１      情報表示面制御部
３２      発光面制御部
３３      情報処理部
３４      モニタ制御部
３５      情報記憶部
３６      入力部
３７      出力部
３８      窓側通信手段
４０      入力装置
５０      モニタ
【図１】
2014232378.tif 000003
【図２】
2014232378.tif 000004
【図３】
2014232378.tif 000005
【図４】
2014232378.tif 000006
【図５】
2014232378.tif 000007
【図６】
2014232378.tif 000008
【図７】
2014232378.tif 000009